(57)【特許請求の範囲】
【請求項１】
異常発生時に閉弁作動してケーシング内に形成されたガス流路を遮断する遮断弁と、閉弁状態の前記遮断弁を開弁側に操作する弁操作部を開弁側に操作して、前記遮断弁を開弁状態に復帰させる軸状の復帰用操作体とが設けられ、
前記復帰用操作体が、前記ケーシングの内外方向に移動自在でかつ一端側部分を前記ケーシングの外方に突出させた待機位置に復帰付勢される状態で、且つ、前記待機位置から前記ケーシングの内方に向けて移動されることにより前記弁操作部を開弁側に操作する状態で設けられたガスメータであって、
前記復帰用操作体における前記ケーシングの外方に位置する一端側部分の外周が、開弁状態表示部に構成され、
前記復帰用操作体を外套する筒状体が、前記ケーシングの内外方向に移動自在でかつ前記待機位置の復帰用操作体における前記開弁状態表示部を覆う閉弁状態表示位置に復帰付勢された状態で設けられ、
前記閉弁状態表示位置に位置する前記筒状体における前記ケーシングの外方に位置する一端側部分の外周が、閉弁状態表示部に構成され、
前記遮断弁が前記開弁状態のときに前記筒状体を前記ケーシングの内方側に移動させた退避位置にて係止保持しかつ前記遮断弁が前記閉弁状態のときに係止保持作用を解除する係止保持手段が設けられているガスメータ。
【請求項２】
前記ガス流路における入口部と計量部とに亘る入口側流路部分を区画形成する入口側の流路形成部材、及び、前記計量部と出口部とに亘る出口側流路部分を区画形成する出口側の流路形成部材が、前記ケーシング内に装備され、
前記計量部が、その内部を通してガスを流動させて計量するように構成されている請求項１記載のガスメータ。
【請求項３】
閉弁状態の前記遮断弁を開弁側に操作する弁操作部と、前記復帰用操作体が前記ケーシングの内方に向けて単位移動量移動されるに伴ってその単位移動量よりも大きな移動量にて前記弁操作部を前記遮断弁の開弁側に移動させる移動量拡大連係機構とが、前記ケーシング内に設けられている請求項１又は２記載のガスメータ。
【発明の詳細な説明】
【技術分野】
【０００１】
本発明は、異常発生時に閉弁作動してケーシング内に形成されたガス流路を遮断する遮断弁と、閉弁状態の前記遮断弁を開弁側に操作する弁操作部を開弁側に操作して、前記遮断弁を開弁状態に復帰させる軸状の復帰用操作体とが設けられ、前記復帰用操作体が、前記ケーシングの内外方向に移動自在でかつ一端側部分を前記ケーシングの外方に突出させた待機位置に復帰付勢される状態で、且つ、前記待機位置から前記ケーシングの内方に向けて移動されることより前記弁操作部を開弁側に操作する状態で設けられたガスメータに関する。
【背景技術】
【０００２】
かかるガスメータは、ケーシング内のガス流路を流動するガス流量が過大となった場合や、ガスが継続してガス流路を流動する時間が異常に長くなった場合等の異常が発生したときに、自動的に閉弁作動してガス流路を遮断する遮断弁を備えるものであり、そして、閉弁状態になった遮断弁を開弁状態に復帰させる場合には、復帰用操作体を、待機位置からケーシングの内方に向けて移動操作することにより、遮断弁を開弁状態に復帰操作することになる。
【０００３】
このようなガスメータにおいては、遮断弁が閉弁状態であるか、開弁状態であるかを、使用者がケーシングの外方箇所にて視認できるように表示して、閉弁状態になった遮断弁を開弁状態に適切に操作できるようにする必要がある。
このための従来例として、次のように構成されたものがある。
すなわち、復帰用操作体が移動自在に挿通する筒状の復帰軸押えが、ケーシング側に支持された状態で設けられ、復帰軸押えにおけるケーシング外方側部分の端部が透明に形成され、且つ、ケーシング外方側の端部を除いた部分が非透明となるように形成される。
【０００４】
復帰用操作体におけるケーシング外方側の端部の外周が、遮断弁の開弁状態を表示するための閉弁状態表示部に構成され、遮断弁が開弁状態のときには復帰用操作体を待機位置よりもケーシング内方側に移動させた引退位置にて係止保持しかつ遮断弁が閉弁状態になると係止保持作用を解除する位置決め具が設けられる。
そして、復帰用操作体の閉弁状態表示部が、復帰用操作体が待機位置に位置するときには、復帰軸押えにおける透明な端部を通して視認可能になり、かつ、復帰用操作体が引退位置に位置するときには、復帰軸押さえの透明な端部よりも内部側に入り込んで視認不能となるように構成されたものがある（例えば、特許文献１参照。）。
【０００５】
つまり、特許文献１に開示されたガスメータは、閉弁状態になった遮断弁を開弁状態に操作するために、復帰用操作体を待機位置からケーシングの内方に移動させたときに、その復帰用操作体を引退位置にて位置決め具にて係止保持して、復帰用操作体の閉弁状態表示部が、復帰軸押えの透明な端部を通して視認できないようにし、そして、遮断弁が開弁状態から閉弁状態になると、位置決め具の係止保持作用を解除して、復帰用操作体を待機位置に復帰移動させることにより、復帰用操作体の閉弁状態表示部が、復帰軸押えの透明な端部を通して視認できるようにすることにより、遮断弁が閉弁状態であることを表示するようにしたものである。
【０００６】
ちなみに、特許文献１に開示されたガスメータにおいては、復帰軸押えが、復帰用操作体よりも外方に突出した突出姿勢と復帰用操作体に重複する引退姿勢とに復帰用操作体の軸心方向に位置変更自在に支持され、かつ、突出姿勢において正逆に回転操作することにより、復帰用操作体をケーシング内方に押圧可能な押圧状態とその押圧を解除する解除状態とに切り替え可能に構成されており、復帰軸押えを突出姿勢と引退姿勢とに切り替えかつ正逆に回転させながら、復帰用操作体を移動操作するように構成されている。
【０００７】
つまり、通常時は、復帰軸押えを引退姿勢にしておくことになる。
そして、閉弁状態になった遮断弁を開弁状態に復帰させる場合には、引退姿勢の復帰軸押えを、突出姿勢に引き出し操作したのち押圧状態に回転操作し、その状態において、復帰軸押えをケーシングの内方側に押し移動操作することにより、復帰用操作体にて、閉弁状態の遮断弁を開弁側に操作する弁操作部としての中間軸を開弁側に押圧移動させて、遮断弁を閉弁状態から開弁状態に操作することになる。
また、閉弁状態になった遮断弁を開弁状態に復帰させる操作が終了した後は、復帰軸押えを解除状態に回転操作したのち、引退姿勢に操作することになる。
【０００８】
したがって、復帰軸押えを突出姿勢に操作した状態においては、復帰軸押えの長さをも利用したストロークにて、遮断弁を開き側に操作でき、そして、復帰軸押さえを引退姿勢に操作した状態においては、復帰軸押えや復帰用操作体のケーシングの外方への突出量を小さくできるため、復帰軸押さえや復帰用操作体に使用者が接触する等のトラブル発生を抑制できることになる。
【先行技術文献】
【特許文献】
【０００９】
【特許文献１】特開２０００−９７７４３号公報
【発明の概要】
【発明が解決しようとする課題】
【００１０】
従来のガスメータは、遮断弁が開弁状態のときには、復帰用操作体の閉弁状態表示部を、復帰軸押えの透明な端部を通して視認できないようにし、そして、遮断弁が閉弁状態のときには、復帰用操作体の閉弁状態表示部を、復帰軸押えの透明な端部を通して視認できるようにすることにより、遮断弁が閉弁状態であることを表示するようにしたものであるが、遮断弁が開弁状態のときには、復帰軸押えの透明な端部を通して他物を視認できないため、使用者にとっては、その状態がどのような状態であるかが分かり難く、場合によっては、異常な状態であると誤判断する虞もあり、改善が望まれるものであった。
【００１１】
また、従来のガスメータは、待機位置に復帰付勢された復帰用操作体を引退位置にて係止保持することになるが、復帰用操作体は遮断弁を開き側に操作するために十分な強度を備える状態に構成する必要上、復帰用操作体の重量が大きくなる等に起因して、復帰用操作体を待機位置に復帰付勢するスプリングの付勢力は大きな付勢力に設定されることになる。したがって、そのような大きな付勢力に抗して、復帰用操作体を引退位置に係止保持するには、位置決め具を十分な強度を備えるように構成する必要がある等、復帰用操作体を引退位置にて係止保持するための構成が複雑になる虞があり、この点からも改善が望まれるものであった。
【００１２】
本発明は、上記実情に鑑みて為されたものであって、その目的は、遮断弁の閉弁状態及び開弁状態のいずれをも適切に表示することができ、しかも、そのための構成の簡素化を図ることができるガスメータを提供する点にある。
【課題を解決するための手段】
【００１３】
本発明のガスメータは、異常発生時に閉弁作動してケーシング内に形成されたガス流路を遮断する遮断弁と、閉弁状態の前記遮断弁を開弁側に操作する弁操作部を開弁側に操作して、前記遮断弁を開弁状態に復帰させる軸状の復帰用操作体とが設けられ、
前記復帰用操作体が、前記ケーシングの内外方向に移動自在でかつ一端側部分を前記ケーシングの外方に突出させた待機位置に復帰付勢される状態で、且つ、前記待機位置から前記ケーシングの内方に向けて移動されることにより前記弁操作部を開弁側に操作する状態で設けられたものであって、その第１特徴構成は、
前記復帰用操作体における前記ケーシングの外方に位置する一端側部分の外周が、開弁状態表示部に構成され、
前記復帰用操作体を外套する筒状体が、前記ケーシングの内外方向に移動自在でかつ前記待機位置の復帰用操作体における前記開弁状態表示部を覆う閉弁状態表示位置に復帰付勢された状態で設けられ、
前記閉弁状態表示位置に位置する前記筒状体における前記ケーシングの外方に位置する一端側部分の外周が、閉弁状態表示部に構成され、
前記遮断弁が前記開弁状態のときに前記筒状体を前記ケーシングの内方側に移動させた退避位置にて係止保持しかつ前記遮断弁が前記閉弁状態のときに係止保持作用を解除する係止保持手段が設けられている点を特徴とする。
【００１４】
すなわち、遮断弁の開弁状態においては、筒状体が係止保持手段にて退避位置に保持されているため、復帰用操作体におけるケーシングの外方に位置する開弁状態表示部が視認可能となり、この開弁状態表示部を、ケーシングの外部より視認することにより、遮断弁が開弁状態であることを確認できる。
【００１５】
また、遮断弁閉弁状態においては、係止保持手段の係止保持作用が解除されて筒状体が閉弁状態表示位置に移動しているため、復帰用操作体の開弁状態表示部が筒状体にて覆われて、筒状体におけるケーシングの外方に位置する閉弁状態表示部が視認可能となり、この閉弁状態表示部を、ケーシングの外部より視認することにより、遮断弁が閉弁状態であることを確認できる。
【００１６】
つまり、遮断弁の開弁状態においては、復帰用操作体の開弁状態表示部が、ケーシングの外方より視認可能になり、また、遮断弁の閉弁状態においては、筒状体の閉弁状態表示部がケーシングの外方より視認可能になる。
このように、遮断弁の開弁状態及び閉弁状態の夫々において、開弁状態表示部及び閉弁状態表示部を視認可能にするものであるから、使用者に、遮断弁が開弁状態であることや、閉弁状態であることを、適切に認識させることができるものとなる。
【００１７】
そして、遮断弁の開弁状態及び閉弁状態の夫々において、開弁状態表示部及び閉弁状態表示部を視認可能にするにあたり、復帰用操作体を、ケーシングの内方に向けて移動操作するとき以外においては、常に復帰付勢力にて待機位置に移動させておき、遮断弁の開弁状態においては、係止保持手段にて筒状体をケーシングの内方側に移動させた退避位置に係止保持させ、かつ、遮断弁の閉弁状態においては、係止保持手段の筒状体に対する係止保持作用を解除させるようにするものであるから、筒状体を退避位置にて係止保持するには、大きな係止保持力が不要であるため、係止保持手段の構成の簡素化を図ることができるものとなる。
【００１８】
つまり、筒状体は、遮断弁の開弁状態及び閉弁状態を表示するために設けられるものであって、大きな強度を備える必要がなく、軽量に構成できるものあるから、その筒状体を閉弁状態表示位置に復帰付勢するための付勢力を小さな付勢力にすることができるため、その筒状体を退避位置にて係止保持する係止保持手段の係止保持力を小さくすることができ、その結果、係止保持手段の構成の簡素化、換言すれば、遮断弁の開弁状態及び閉弁状態を表示するための構成の簡素化を図ることができるのである。
【００１９】
要するに、本発明の第１特徴構成によれば、遮断弁の閉弁状態及び開弁状態のいずれをも適切に表示することができ、しかも、そのための構成の簡素化を図ることができるガスメータを提供できる。
【００２０】
本発明の第２特徴構成は、上記第１特徴構成に加えて、
前記ガス流路における入口部と計量部とに亘る入口側流路部分を区画形成する入口側の流路形成部材、及び、前記計量部と出口部とに亘る出口側流路部分を区画形成する出口側の流路形成部材が、前記ケーシング内に装備され、
前記計量部が、その内部を通してガスを流動させて計量するように構成されている点を特徴とする。
【００２１】
すなわち、入口部に供給されたガスが、入口側の流路形成部材にて区画形成された入口側流路部分を通して計量部に流動し、計量部に供給されたガスが、計量部の内部を通して流動しながら計量され、計量部から排出されるガスが、出口側の流路形成部材にて区画形成された出口側流路部分を通して出口部に流動することになる。
したがって、ケーシング内における入口側の流路形成部材、計量部及び出口側の流路形成部材の外方に相当する空間には、ガスが流動しないことになる。
【００２２】
このように、ケーシング内における入口側の流路形成部材、計量部及び出口側の流路形成部材の外方に相当する空間には、ガスが流動しないため、復帰用操作体や筒状体をケーシングに装備するにあたり、ガス漏れを抑制するシール構造を不要にして、その構成の簡素化を図ることができるものとなる。
【００２３】
要するに、本発明の第２特徴構成によれば、上記第１特徴構成による作用効果に加えて、復帰用操作体や筒状体をケーシングに装備する構成の簡素化を図ることができるガスメータを提供できる。
【００２４】
本発明の第３特徴構成は、上記第１又は第２特徴構成に加えて、
閉弁状態の前記遮断弁を開弁側に操作する弁操作部と、前記復帰用操作体が前記ケーシングの内方に向けて単位移動量移動されるに伴ってその単位移動量よりも大きな移動量にて前記弁操作部を前記遮断弁の開弁側に移動させる移動量拡大連係機構とが、前記ケーシング内に設けられている点を特徴とする。
【００２５】
すなわち、復帰用操作体をケーシングの内方に向けて移動させると、移動量拡大連係機構により、復帰用操作体の移動量よりも大きな移動量にて、弁操作部が遮断弁の開弁側に移動されて、遮断弁が開弁状態に復帰操作されることになる。
【００２６】
つまり、閉弁状態になった遮断弁を開弁状態に復帰させる場合には、弁操作部を、遮断弁を閉弁状態から開弁状態に操作するために必要となる開き操作移動量にて、遮断弁の開弁側に移動させる必要はあるが、移動量拡大連係機構により、復帰用操作体の移動量よりも大きな移動量にて弁操作部が移動されるものとなるから、復帰用操作体を、弁操作部の開き操作移動量よりも小さな移動量にて、待機位置からケーシングの内方に向けて移動させることにより、弁操作部を開き操作移動量にて移動させることができるものとなる。
【００２７】
このように、遮断弁を閉弁状態から開弁状態に操作するために、復帰用操作体を待機位置からケーシングの内方に向けて移動させる移動量が、弁操作部の開き操作移動量よりも小さな量となるから、待機位置において、復帰用操作体がケーシングの外方に突出する突出量を小さくできるため、復帰用操作体が待機位置においてケーシングの外方に大きく突出することを回避して、復帰用操作体に使用者が接触する等のトラブルを発生することを抑制できる。
【００２８】
しかも、閉弁状態になった遮断弁を開弁状態に復帰させる場合の操作としては、単に、復帰用操作体をケーシングの内方に向けて移動させる操作を行えばよいため、閉弁状態になった遮断弁を開弁状態に復帰させるための操作の簡略化を図ることができるのである。
【００２９】
要するに、本発明の第３特徴構成によれば、上記した第１又は第２特徴構成による作用効果に加えて、復帰用操作体がケーシングの外方に大きく突出することを回避しながらも、閉弁状態になった遮断弁を開弁状態に復帰させるための操作の簡略化を図ることができるガスメータを提供できる。
【図面の簡単な説明】
【００３０】
【図１】第１実施形態のガスメータの切欠き正面図
【図２】同実施形態の遮断弁の装着部の縦断側面図、
【図３】同実施形態の復帰用操作体の装着部の縦断側面図
【図４】同実施形態の復帰用操作体の装着部の縦断側面図
【図５】同実施形態の復帰用操作体の装着部の縦断側面図
【図６】復帰用操作体の装着部の構成を示す分解斜視図
【図７】第２実施形態の遮断弁の装着部の縦断側面図、
【図８】同実施形態の復帰用操作体の装着部の縦断側面図
【図９】同実施形態の復帰用操作体の装着部の縦断側面図
【図１０】同実施形態の復帰用操作体の装着部の縦断側面図
【図１１】復帰用操作体の装着部の構成を示す分解斜視図
【発明を実施するための形態】
【００３１】
〔第１実施形態〕
以下、本発明の第１実施形態のガスメータを図面に基づいて説明する。
図１に示すように、上下に分割自在なケーシング１内に、計量部２が装備され、ガス流路Ｇにおける入口部３と計量部２とに亘る入口側流路部分Ｇ１を区画形成する入口側の流路形成部材４、及び、計量部２と出口部５とに亘る出口側流路部分Ｇ２を区画形成する出口側の流路形成部材６が、ケーシング１内に装備されている。また、計量部２が、その内部を通して計測対象のガスを流動させて計量する内部通流式に構成されている。
つまり、本第１実施形態のガスメータは、入口部３から流入するガスが、ケーシング１内に区画形成されたガス流路Ｇを通して出口部５に流動するように構成されており、ケーシング１の内部における入口側の流路形成部材４、計量部２及び出口側の流路形成部材６の外方に相当する空間内にはガスが流動しない状態となっている。
【００３２】
本実施形態の計量部２は、計量本体部２Ａと、入口側流路部分Ｇ１からのガスを計量本体部２Ａに導く入口側マニホールド部２Ｂと、計量本体部２Ａからのガスを出口側流路部分Ｇ２に導く出口側マニホールド部２Ｃとから構成されている。
計量本体部２Ａは、例えば、超音波式の流量計等を用いて構成されている。
【００３３】
図２に示すように、異常発生時に閉弁作動してケーシング１内に形成されたガス流路Ｇを遮断する遮断弁Ｖが、入口側の流路形成部材４に装備されている。
この遮断弁Ｖは、閉弁状態側に復帰付勢され、且つ、電磁保持部７にて開弁状態に保持されるものであって、電磁保持部７の通電を制御する制御部（例示せず）が、計量部２の計量情報に基づいて、ガス流路Ｇを流動するガス流量が異常に過大となることや、ガス流路Ｇをガスが継続して流動する時間が異常に長くなること等の異常が発生したことを判別したときに、電磁保持部７の通電を停止して、遮断弁Ｖを閉弁作動させることになる。
【００３４】
遮断弁Ｖは、弁本体８が入口側の流路形成部材４に形成した弁座９に接当すると、閉弁状態となり、弁本体８が弁座９から離間すると開弁状態になるように構成されている。
そして、閉弁状態の遮断弁Ｖを開弁側に操作する弁操作部としての弁操作軸１０が、弁本体８に接続され且つ入口側の流路形成部材４を貫通して突出する状態で設けられている。
尚、詳述はしないが、入口側の流路形成部材４における弁操作軸１０の貫通部には、シール材が装備されて、ガス漏れが抑制されることになる。
【００３５】
そして、上述の如く閉弁状態に操作された遮断弁Ｖを閉弁状態から開弁状態に復帰操作するためには、遮断弁Ｖを閉弁状態から開弁状態に復帰操作するために必要となる開き操作移動量にて、弁操作軸１０を遮断弁Ｖの開弁側に移動操作する必要がある。
このため、弁操作軸１０を遮断弁Ｖの開弁側に移動操作する復帰操作手段Ｕが装備されており、以下、この復帰操作手段Ｕについて説明する。
【００３６】
図２〜図５に示すように、弁操作軸１０を開弁側に操作して、遮断弁Ｖを開弁状態に復帰させる軸状の復帰用操作体１１が、ケーシング１の内外方向に移動自在でかつ一端側部分をケーシング１の外方に突出させた待機位置に復帰付勢される状態で、且つ、待機位置からケーシング１の内方に向けて移動されることより弁操作軸１０を開弁側に操作する状態で設けられている。
【００３７】
具体的には、復帰用操作体１１がケーシング１の内方に向けて単位量移動されるに伴ってその単位量よりも大きな移動量にて弁操作軸１０を遮断弁Ｖの開弁側に移動させる移動量拡大連係機構Ｋが、ケーシング１内における入口側の流路形成部材４、計量部２及び出口側の流路形成部材６の外方に相当する空間内に設けられており、復帰用操作体１１をケーシング１の内方に向けて移動させると、弁操作軸１０が移動量拡大連係機構Ｋにて開弁側に移動されるように構成されている。
【００３８】
説明を加えると、復帰用操作体１１におけるケーシング１内の端部にて押圧移動される被操作部としての被操作体１２が、入口側の流路形成部材４の外面に接続した支持部材１３に、弁操作軸１０の軸心方向と並行する軸心方向に沿って移動自在に支持されている。
また、弁操作軸１０に形成されたラック部１０ａに係合する大径のピニオン部１４Ａと、被操作体１２に形成されたラック部１２ａに係合する小径のピニオン部１４Ｂとを一体回転する状態に備えた連係ピニオン１４が、上述の支持部材１３に回転自在に支持される状態で設けられて、移動量拡大連係機構Ｋが、連係ピニオン１４にて、被操作体１２と弁操作軸１０とを連係する手段として構成されている。
ちなみに、本実施形態においては、被操作体１２が単位量移動すると、その２倍の移動量にて弁操作軸１０が移動する状態となるように、連係ピニオン１４が形成されている。
【００３９】
したがって、遮断弁Ｖが閉弁状態になったときには、図３及び図４に示すように、ケーシング１の外方側に復帰付勢された待機位置に位置する復帰用操作体１１を、図５に示すように、ケーシング１の内方に向けて押し移動することにより、復帰用操作体１１にて被操作体１２が押し移動され、連係ピニオン１４が、被操作体１２の移動に伴って弁操作軸１０を遮断弁Ｖの開弁状態側に移動させることにより、遮断弁Ｖが開弁状態に復帰されることになる。
【００４０】
そして、移動量拡大連係機構Ｋにより、復帰用操作体１１の単位移動量よりも弁操作軸１０の移動量が大きく拡大されるものであるから、復帰用操作体１１を待機位置からケーシング１の内方側に移動させる量が弁操作軸１０の開き操作移動量より小さくても、遮断弁Ｖを開弁状態に復帰操作できるのであり、その結果として、図３及び図４に示すように、復帰用操作体１１がケーシング１の外方側に復帰付勢された待機位置に位置する状態において、復帰用操作体１１のケーシング１の外方に突出する突出量を小さくできることになる。
【００４１】
また、図２〜図４に示すように、遮断弁Ｖの開閉弁状態をケーシング１の外部より監視可能にするための弁開閉弁状態表示手段Ｈが装備されている。
すなわち、復帰用操作体１１におけるケーシング１の外方に位置する一端側部分の外周が、遮断弁Ｖが開弁状態であることを表示するための開弁状態表示部１１Ａに構成され、復帰用操作体１１を外套する筒状体１５が、ケーシング１の内外方向に移動自在でかつ待機位置の復帰用操作体１１における開弁状態表示部１１Ａを覆う閉弁状態表示位置に復帰付勢された状態で設けられている。
【００４２】
閉弁状態表示位置に位置する筒状体１５におけるケーシング１の外方に位置する一端側部分の外周が、遮断弁Ｖが閉弁状態であることを表示するための閉弁状態表示部１５Ａに構成され、遮断弁Ｖが開弁状態のときには筒状体１５をケーシング１の内方側に移動させた退避位置にて係止保持しかつ遮断弁Ｖが閉弁状態のときには係止保持作用を解除する係止保持手段Ｊが設けられている。
ちなみに、復帰用操作体１１のケーシング外方側の端部には、透明な樹脂材にて形成された有底筒状のカバー体１６が、復帰用操作体１１と一体移動するように、接着剤等により止着された状態で設けられている。
【００４３】
そして、復帰用操作体１１における開弁状態表示部１１Ａが、復帰用操作体１１が待機位置に位置し且つ筒状体１５が退避位置に位置する状態において視認可能になり、また、筒状体１５における閉弁状態表示部が、筒状体１５が閉弁状態表示位置に位置する状態において視認可能になるように構成されている。
【００４４】
つまり、遮断弁Ｖの開弁状態においては、図３に示すように、筒状体１５が係止保持手段Ｊにて退避位置に保持されているため、復帰用操作体１１におけるケーシング１の外方に位置する開弁状態表示部１１Ａが視認可能となり、この開弁状態表示部１１Ａを、ケーシング１の外部より視認することにより、遮断弁Ｖが開弁状態であることを確認できる。
【００４５】
また、遮断弁Ｖの閉弁状態においては、係止保持手段Ｊの係止保持作用が解除されて筒状体１５が閉弁状態表示位置に移動しているため、図４に示すように、復帰用操作体１１の開弁状態表示部１１Ａが筒状体１５にて覆われて、筒状体１５におけるケーシング１の外方に位置する閉弁状態表示部１５Ａが視認可能となり、この閉弁状態表示部１５Ａを、ケーシング１の外部より視認することにより、遮断弁Ｖが閉弁状態であることを確認できる。
【００４６】
ちなみに、本実施形態においては、復帰用操作体１１における弁開弁状態表示部１１Ａが、緑色に着色され、筒状体１５における閉弁状態表示部１５Ａが、赤色に着色されており、色の変化によって、遮断弁Ｖの開閉弁状態を視認し易いようになっている。
【００４７】
係止保持手段Ｊは、図３に示すように、筒状体１５の被係止孔１７に係合自在で且つ係合側に復帰付勢された係止体１８を、筒状体１５が退避位置に位置するときに被係止孔１７に係合させることによって、筒状体１５を退避位置にて係止保持するように構成され、かつ、図４に示すように、被係止孔１７に係合している係止保持状態の係止体１８を、遮断弁Ｖが閉弁状態になるに伴って弁操作軸１０の端部にて押圧して、係止保持作用を解除する解除状態に切り替えるように構成されている。
【００４８】
また、閉弁状態の遮断弁Ｖを開弁状態に復帰させるために、図５に示すように、復帰用操作体１１をケーシング１の内方に向けて移動させると、筒状体１５がカバー体１６に押圧されてケーシング１の内方に移動し、係止体１８が被係止孔１７に係合するように構成されている。
したがって、復帰用操作体１１をケーシング１の内方に移動させる操作を終了して、復帰用操作体１１が退避位置に復帰移動したときには、図３に示すように、筒状体１５が退避位置に保持されることになる。
【００４９】
以下、復帰用操作体１１及び筒状体１５の装着部の構成について説明を加える。
すなわち、図６にも示すように、二重筒状でかつ底部が接続された主体枠１９、及び、この主体枠１９の底部に嵌合状態に接続される有底筒状の副体枠２０が設けられている。
この副体枠２０は、その長手方向に沿って大径の開口側部分２０ａと小径の底部側部分２０ｂとを備える状態に形成され、大径の開口側部分２０ａが、上述の如く、主体枠１９の底部に嵌合された状態で接続されている。
【００５０】
主体枠１９が、ケーシング１に形成した装着孔Ｅを貫通する状態に配置され、この主体枠１９の外周部におけるケーシング１の内方側及び外方側に亘る箇所には、ネジ部１９ａが形成されている。
そして、主体枠１９のケーシング１の内方側部分に螺合される内方側止着体２１、及び、主体枠１９のケーシング１の外方側部分に螺合される外方側止着体２２が設けられ、これら内方側止着体２１と外方側止着体２２との間にケーシング１を挟持する状態となるように、内方側止着体２１と外方側止着体２２とを締結することにより、主体枠１９及びその主体枠１９に接続された副体枠２０を、ケーシング１に止着できるように構成されている。
【００５１】
復帰用操作体１１のケーシング外方側の端部に止着されたカバー体１６におけるケーシング内方側の端部には、フランジ状部１６ａが形成され、このフランジ状部１６ａが、外方側止着体２２に接当することにより、カバー体１６と一体移動する復帰用操作体１１の待機位置が定められるように構成されている。
ちなみに、復帰用操作体１１が、筒状体１５の底部を貫通し、かつ、副体枠２０の底部を貫通して、遮断弁Ｖの存在側に突出するようになっており、その突出側の端部が、上述の如く、被操作体１２を押圧移動させることになる。
【００５２】
カバー体１６が、二重筒状の主体枠１９における内外筒部の間に挿入され、且つ、その内外筒部のうちの内方側の筒部に対してケーシング内外方向に移動自在に外嵌支持されており、このように、カバー体１６が主体枠１９にケーシング内外方向に移動自在に支持されることにより、カバー体１６と一体移動する復帰用操作体１１が、主体枠１９に対してケーシング内外方向に移動自在に支持されるようになっている。
そして、カバー体１６のフランジ状部１６ａをケーシング外方側に押圧するスプリング２３が、二重筒状の主体枠１９における内外筒部の間に配設され、このスプリング２３にて、復帰用操作体１１が、待機位置に復帰付勢されることになる。
【００５３】
筒状体１５が、主体枠１９の内外筒部のうちの内側筒部及び副体枠２０における小径の底部側部分２０ｂに対して、ケーシング１の内外方向に移動自在に内嵌されている。
また、筒状体１５をケーシング外方に押圧するスプリング２４が、副体枠２０における小径の底部側部分２０ｂの内部に配設されており、このスプリング２４によって、筒状体１５が、待機位置の復帰用操作体１１における弁開弁状態表示部１１Ａを覆う閉弁状態表示位置に復帰付勢されている。
【００５４】
筒状体１５の外周部に、被係止用の突起部１５ａが形成され、この被係止用の突起部１５ａが、主体枠１９の内外筒部のうちの内方側の筒部の内面にケーシング内外方向に沿って形成した嵌合溝Ｄに、ケーシング内外方向に移動自在に係合して、筒状体１５の回転が牽制阻止されるように構成されている。
つまり、筒状体１５の回転位相が、筒状体１５に形成した被係止孔１７に対して係止体１８が係脱するのに適する位相となるように、筒状体１５の回転が牽制阻止されるようになっている。
【００５５】
係止体１８が、副体枠２０の大径の開口側部分２０ａの内部に設けた支持片２５に、揺動自在に枢支されて、筒状体１５を退避位置にて係止保持する係止保持姿勢と係止保持作用を解除する解除姿勢とに切換え自在に構成され、そして、捩りスプリング２６にて、係止保持姿勢に復帰付勢されている。
また、係止体１８における弁操作軸１０にて押圧される一端部が、副体枠２０の大径の開口側部分２０ａに形成した挿通孔２７を通して、外方に突出されている。
【００５６】
以上の通り、復帰用操作体１１及び筒状体１５やそれらに付属する部材が、主体枠１９及びそれに接続されている副体枠２０に装備されている。
したがって、主体枠１９を、ケーシング１の装着孔Ｅを貫通する状態で、ケーシング１に組み付けることにより、復帰用操作体１１及び筒状体１５やそれに付属する部材をケーシング１に組み付けることができるようになっている。
【００５７】
〔第２実施形態〕
次に、本発明の第２実施形態のガスメータを図面に基づいて説明するが、上述の第１実施形態と同様な構成部分については、重複する説明を省略するために、第１実施形態と同じ符号を付してその説明を省略する。
【００５８】
この第２実施形態のガスメータは、図７に示すように、ケーシング１の内部に、膜式の計量部（図示せず）を装備するものであって、ガス流路Ｇにおける入口側流路部分Ｇ１を形成する入口側の流路形成部材４が、ケーシング１の内方空間に向けてガスを流動させるように構成されている。つまり、このガスメータは、ケーシング１の内方空間に、ガスが充満することになる。
【００５９】
したがって、主体枠１９及びそれに接続されている副体枠２０を、ケーシング１の装着孔Ｅを貫通する状態で、ケーシング１に止着するにあたり、密封性を有する状態でケーシング１に装着されている。
すなわち、図８〜図１１に示すように、主体枠１９のケーシング外方側の端部に、環状枠２８が、溶接により取り付けられている。
尚、このように環状枠２８が設けられることにより、第１実施形態において説明した外方側止着体２２は、この第２実施形態においては省略されることになり、そして、この第２実施形態においては、主体枠１９の内外筒部のうちの外側筒部の長さが、第１実施形態よりも短く形成されている。
【００６０】
そして、環状枠２８と内方側止着体２１との間にケーシング１を挟持する状態となるように、内方側止着体２１を締め付けることにより、主体枠１９及びそれに接続されている副体枠２０が、ケーシング１の装着孔Ｅを貫通する状態で、ケーシング１に装着されるようになっている。
【００６１】
環状枠２８のケーシング側の端面のうちの、主体枠１９よりも外方側部分には、ガス漏れ阻止用のシール体としての環状の弾性シール体２９が装備され、この弾性シール体２９がケーシング１の外面に当て付けられることにより、環状枠２８のケーシング側の端面のうちの、主体枠１９よりも外方側部分とケーシング１の外面との間が密封されるように構成されている。
つまり、ケーシング内に存在するガスが、主体枠１９の外方側を通して、ケーシング１の外方に流出することが抑制されるようになっている。
【００６２】
復帰用操作体１１のケーシング外方側の端部に接続されたカバー体１６が、環状枠２８に内嵌された状態で、ケーシング１の内外方向に移動するように配設されている。
そして、環状枠２８の内面に、ガス漏れ阻止用のシール体としての環状の弾性シール体３０が装備され、この弾性シール体２９がカバー体１６の外面に当て付けられることにより、環状枠２８の内面とカバー体１６の外面との間が密封されるように構成されている。
【００６３】
つまり、ケーシング内に存在するガスが、副体枠２０における復帰用操作体１１の貫通部を通して、副体枠２０の内部に流入すること等により、ケーシング内に存在するガスが主体枠１９の内外の筒部の間に流動する虞があるが、このように流動したガスが、環状枠２８の内面とカバー体１６の外面との間を通して、ケーシング１の外方に流出することが抑制されるようになっている。
【００６４】
〔別実施形態〕
次に別の実施形態について例示する。
【００６５】
（１）上記第１及び第２実施形態においては、復帰用操作体における開弁状態表示部と筒状体における閉弁状態表示部とを、異なる色に着色することにより、両者を区別できるようにする場合を例示したが、両者を区別する構成は種々変更できる。
すなわち、例えば、復帰用操作体における開弁状態表示部と筒状体における閉弁状態表示部の一方の外面を、円滑な面に形成し、他方の面を、ローレット加工等により、凹凸のある面に形成する構成や、復帰用操作体における開弁状態表示部と筒状体における閉弁状態表示部に、異なる模様を形成する構成を採用する等、種々の構成が適用できる。
【００６６】
（２）上記第１及び第２実施形態においては、移動量拡大連係機構が、大径のピニオン部と小径のピニオン部とを一体回転する状態に備えた連係ピニオンにて構成される場合を例示したが、移動量拡大連係機構としては、種々の構成が適用できる。
すなわち、例えば、回動軸に、長さが異なる一対のリンクを固定し、短いリンクの先端部が復帰用操作体にて押圧されて揺動させるに伴って、長いリンクの先端部にて被操作部を移動操作するリンク機構を構成する等、各種の形態の移動量拡大連係機構を構成することができる。
【符号の説明】
【００６７】
１      ケーシング
２      計量部
３      入口部
４      入口側の流路形成部材
５      出口部
６      出口側の流路形成部材
１０    弁操作部
１１    復帰用操作体
１４    連係ピニオン
１４Ａ  大径のピニオン部
１４Ｂ  小径のピニオン部
Ｇ      ガス流路
Ｇ１    入口側流路部分
Ｇ２    出口側流路部分
Ｋ      移動量拡大連係機構
Ｖ      遮断弁
【図１】
0005600292.tif 000002
【図２】
0005600292.tif 000003
【図３】
0005600292.tif 000004
【図４】
0005600292.tif 000005
【図５】
0005600292.tif 000006
【図６】
0005600292.tif 000007
【図７】
0005600292.tif 000008
【図８】
0005600292.tif 000009
【図９】
0005600292.tif 000010
【図１０】
0005600292.tif 000011
【図１１】
0005600292.tif 000012